(57)【要約】      （修正有）【課題】簡単な設計で、使用者が直ぐに光ディスクを選び出すことができるディスク収納装置を提供する。【解決手段】ディスク収納装置が、第一収納ユニット１１、若干の第二収納ユニット１２、第三収納ユニット１３から構成され、そのうち、前記第一収納ユニット、若干の第二収納ユニット、第三収納ユニットを順に相互に接続してひとつなぎとし、且つ単一の前記第二収納ユニットがその前後の収納ユニットと相互に折り畳んで重ねた積層状にすることができ、そして積層状の各収納ユニットを開くと、ひとつながりになり、使用者がディスクを直ぐに選んで取り出しできるようにする。【選択図】図１
0003122323.tif 000002
【実用新案登録請求の範囲】
【請求項１】
第一収納ユニット（１１）、第二収納ユニット（１２）、第三収納ユニット（１３）から構成され、そのうち、前記第一収納ユニット、第二収納ユニット、第三収納ユニットを順に相互に接続してひとつなぎとし、且つ単一の前記第二収納ユニットがその前後の収納ユニットと相互に折り畳んで重ねた積層状にすることができることを特徴とするディスク収納装置。
【考案の詳細な説明】
【技術分野】
【０００１】
本考案はディスク類を収納する装置に関して、特に使用者が迅速にディスク、例えば光ディスク等の記録ディスクを選んで取り出すことができる、ディスク収納装置に関するものである。
【背景技術】
【０００２】
コンピュータでのデジタルデータ処理能力が高くなるにつれ、その用途も単純な文書処理からマルチメディアの世界に広がってきた現状では、大容量のデジタルデータをバックアップ保存する際の保存媒体として、従来のフロッピー（登録商標）ディスクに代わって光ディスクが利用されている。
【０００３】
現在最も頻繁に使用されているCD-R光ディスクは、その容量が既に850MBという大容量に達しているが、コンピュータの使用者はコンピュータデータを保存せねばならない。
【０００４】
また、AVディスク、ゲームディスク等としてマルチメディアのデータ保存に用いられる光ディスクの場合、数枚の光ディスクを1セットとして販売されるので、購入者は便利な光ディスク整理ケース（ラック）を利用して、光ディスクをうまく整理して保存する必要がある。
【０００５】
このようなディスク収納ケースの中で、筒状の保存容器が市場で取り扱われているが、このような保存容器は台座及び筒状蓋を含み、その前記台座表面の中心に垂直な中央軸が設けられ、穴の開いたディスクを中央軸に穴を通して積み重ね、位置決めして収納する。更に筒状蓋を台座に覆い被せると、塵埃の侵入を防止することができる。
【０００６】
このようなディスク保存容器は、余分な包装が占める空間を省くことができるが、収納された複数枚のディスクの中の下方または中間にある所望のディスクを取り出したい時、その所望のディスクの上にある別のディスクを全て中央軸から取り出す必要がある。
【０００７】
また所望のディスクを取り出した後、前に取り出したそれ以外のディスクを全て一枚一枚、その穴を中央軸に通して戻さなければならない。そのため、取り出そうとするディスクが下にあればあるほど、そのディスクを取り出した後に他のディスクを元の保存状態に戻したい時、そのために使用者が費やす時間が長くなってしまう。
【０００８】
更にディスクが縦方向に積み重なって置かれているので、詳細な検索ができなく、所望のディスクを探し難いという問題もある。
【考案の開示】
【考案が解決しようとする課題】
【０００９】
本考案の課題は従来のディスク収納ケースの欠点を鑑みて、本考案はその不完全な点を改善するべく、考案者の関連産業における長年の経験に基き、研究を重ねて生まれたディスク収納装置を提供することで、それによって使用者がディスクを迅速に選び出すことを可能にする。
【００１０】
本考案の主な目的は、使用者がディスクを迅速に選び出すことができるように、簡単な設計のディスク収納装置を提供することである。
【課題を解決するための手段】
【００１１】
上記の目的は、本考案によるディスク収納装置によって達成される。本考案によるディスク収納装置は、第一収納ユニット、若干の第二収納ユニット、第三収納ユニットから構成され、そのうち、前記第一収納ユニット、若干の第二収納ユニット、第三収納ユニットを順に相互に接続してひとつなぎとし、且つ単一の前記第二収納ユニットがその前後の収納ユニットと相互に折り畳んで重ねた積層状にすることができる。そして積層状の各収納ユニットを開くと、ひとつながりになり、使用者がディスクを直ぐに選んで取り出すことができる。
【考案を実施するための最良の形態】
【００１２】
以下、本考案の目的特徴及び効果について理解を促すため、具体的な実施例及び添付図面に基き、本考案について詳細に説明する。
【実施例１】
【００１３】
まず図１及び図２に示されている本考案の第一実施例は、ディスク収納装置１が第一収納ユニット１１、若干の第二収納ユニット１２、第三収納ユニット１３から構成されている。そのうち前記第一収納ユニット１１、若干の第二収納ユニット１２及び第三収納ユニット１３を順序に従い相互に接続してひとつなぎとし、且つ単一の前記第二収納ユニット１２はその前後の収納ユニットと相互に折り重ねて畳むことで積層状にすることができる。
【００１４】
積層状の各収納ユニット１１、１２、１３を開くと、ひとつながりになり、使用者が各光ディスク２の表面をはっきりと見ることができるため、すぐに選びたい光ディスクの位置を確認でき、直ぐに選びたい光ディスクの位置を確認でき、光ディスクをすばやく取り出すことができる。
【００１５】
また、前記第一収納ユニット１１の一端（前記第二収納ユニット１２と接続する側とは別の端部）にカバー面１４を接続し、説明などのための文字をカバー面１４上に書くことができるだけでなく、使用者が前記ディスク収納装置１内に収納されたディスクのタイプを識別するために利用することもできる。前記第一収納ユニット１１内に収納された光ディスクを保護し、周囲環境との不適切な接触により光ディスクが傷つくのを防止できる。
【００１６】
同様に、前記第三収納ユニット１３の一端（前記第二収納ユニット１２と接続される側と別の端部）に底面１５を接続し、前記第三収納ユニット１３に収納された光ディスクを保護することができる。
【００１７】
更に、前記カバー面を硬い材質とする場合、前記カバー面１４上に吊り下げ孔１４１を設けることで、ひとつなぎの収納ユニット１１、１２、１３全体を壁面または、その他の吊り下げることができる位置に掛けることができる。それによって視覚的に美観を得るだけでなく、使用者が一目で必要な光ディスク２の位置を確認できるようになる。
【実施例２】
【００１８】
図３には本考案の第二実施例が示されている。図３に示すように、本考案によるディスク収納装置はディスク収納装置の外ケース３に入れることもできる。これによって携帯に便利なだけでなく、光ディスク２の保護効果を増すことができる。また使用者が光ディスク２を取り出す際に、前記第二収納ユニット１２を順番にめくるだけで必要な光ディスク２を選んで取り出すことができる。
【００１９】
また図４に示したように、本考案によるディスク収納装置が折り重なった状態にある時、使用者が光ディスク２を選び出そうとする際に、各収納ユニット１１、１２、１３の全てを開きたくない時は、カバー面１４、第一収納ユニット１１、そして第二収納ユニット１２を順番にめくるだけで、必要な光ディスク２を選び取ることがきるので、非常に便利である。
【００２０】
上記から明らかなように、本考案によるディスク収納装置の設計は確実に実施可能で、且つ従来技術の種々の欠点を改善し、産業的なニーズに適応した新しい高水準な創作であると共に、新規性及び進歩性を備えている。
【図面の簡単な説明】
【００２１】
【図１】本考案によるディスク収納装置の第一実施例の斜視図。
【図２】本考案によるディスク収納装置の第一実施例を吊り下げた状態を示した斜視図。
【図３】本考案によるディスク収納装置の第二実施例の斜視図。
【図４】本考案によるディスク収納装置の折り重ねた状態を示した斜視図。
【符号の説明】
【００２２】
１      ディスク収納装置
２      光ディスク
３      外ケース
１１    第一収納ユニット
１２    第二収納ユニット
１３    第三収納ユニット
１４    カバー面
１５    底面
１４１  吊り下げ孔
【図１】
0003122323.tif 000003
【図２】
0003122323.tif 000004
【図３】
0003122323.tif 000005
【図４】
0003122323.tif 000006